Podtech/llm-jp-corpus-v4-ja_patent huggingface dataset:
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
靱帯再生および／または軟骨再構成のための医薬組成物であって、少なくとも１種類の下記の式（Ｉ）
【化１】
2011520803.tif 000001
(上記式中、
Ｒ１は、線状または分岐状のＣ１−Ｃ４アルキル基、ヒドロキシル、アミン、チオール、カルボキシル、アジドおよびニトリル基から選択される１個以上の官能基を含んでなるアルキル基、飽和または不飽和のＣ３−Ｃ６炭化水素を基礎とする環、ヒドロキシル、アミン、Ｃ１−Ｃ４アルキル、チオール、カルボキシル、アジドおよびニトリル基から選択される１個以上の官能基を含んでなる飽和または不飽和のＣ３−Ｃ６炭化水素を基礎とする環、酸素、窒素および硫黄原子から選択される少なくとも１個のヘテロ原子を含んでなる飽和または不飽和複素環を表し、
ｎは、０または１の整数であり、
Ｒ２は、下記の基（Ｇ１）−（Ｇ４）
【化２】
2011520803.tif 000002
（上記式中、
Ｒ３およびＲ’３は、同一または異なり、水素またはナトリウム原子を表し、Ｒ４は、酸素または硫黄原子を表し、
矢印は、Ｒ２を有する炭素原子上の基の連結点を表す）
から選択される）
の化合物を活性成分として含んでなる、医薬組成物。
【請求項２】
Ｒ１がメチル基を表す、請求項１に記載の医薬組成物。
【請求項３】
Ｒ１について記載した官能化アルキル基がＣ１−Ｃ４モノ−およびジヒドロキシアルキル、Ｃ１−Ｃ４モノ−およびジアミノアルキル、Ｃ１−Ｃ４モノ−およびジチオアルキル、およびＣ１−Ｃ４モノ−およびジカルボキシアルキル基から選択される、請求項１に記載の医薬組成物。
【請求項４】
Ｒ１について記載した炭化水素を基礎とする環がシクロプロパン、シクロブタン、シクロペンタン、シクロヘキサン、フェニルおよびベンジル環から選択される、請求項１に記載の医薬組成物。
【請求項５】
Ｒ１について記載した複素環を基礎とする環が、オキサジアゾール、トリアゾール、オキサゾール、イソキサゾール、イミダゾール、チアジアゾール、ピロール、テトラゾール、フラン、チオフェン、ピラゾール、ピラゾリン、ピラゾリジン、チアゾール、イソチアゾール、ピリジン、ピリミジン、ピペリジン、ピラン、ピラジンおよびピリダジン環から選択される、請求項１に記載の医薬組成物。
【請求項６】
式（Ｉ）の化合物において、ｎ＝０であるとき、Ｒ２は基Ｇ３およびＧ４から選択され、ｎ＝１であるとき、Ｒ２はＧ１およびＧ２から選択される、請求項１〜５のいずれか一項に記載の医薬組成物。
【請求項７】
式（Ｉ）の化合物が、Ｒ２が請求項１で定義した通りの基Ｇ１またはＧ３（上記式中、Ｒ３およびＲ’３は同一であり、ナトリウム原子を表す）を表すものおよびＲ２が請求項１で定義した通りの基Ｇ２またはＧ４（上記式中、Ｒ３はナトリウム原子を表す）を表すものから選択される、請求項１〜６のいずれか一項に記載の医薬組成物。
【請求項８】
式（Ｉ）の化合物が、
メチル Ｄ−マンノピラノシド６−ホスフェート、
メチル （二ナトリウム）Ｄ−マンノピラノシド６−ホスフェート、
メチル ６，７−ジデオキシ−７−ナトリウムスルホナト−Ｄ−マンノヘプトピラノシド
（メチル ６，７−ジデオキシ−Ｄ−マンノヘプトピラノシド）ウロン酸、および
メチル ６−デオキシ−６−マロネート−Ｄ−マンノピラノシド
から選択される、請求項１〜７のいずれか一項に記載の医薬組成物。
【請求項９】
式（Ｉ）の化合物が、メチル ６，７−ジデオキシ−７−ナトリウムスルホナト−α−Ｄ−マンノヘプトピラノシド、メチル ６−デオキシ−６−マロネート−α−Ｄ−マンノピラノシド、および（メチル ６，７−ジデオキシ−α−Ｄ−マンノヘプトピラノシン）ウロン酸から選択される、請求項８に記載の医薬組成物。
【請求項１０】
医薬組成物が少なくとも１個の式（Ｉ）の化合物を含むポリマー性生物学的材料の形態である、請求項１〜９のいずれか一項に記載の医薬組成物。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
細胞に対する酸化ダメージを予防するためのスリンダク誘導体の使用であって、前記スリンダク誘導体が（ａ）スリンダクのエピマー、又は（ｂ）スリンダクメチオニンスルホキシドであることを特徴とする使用。
【請求項２】
請求項１に記載の使用において、前記スリンダク誘導体が、ラセミ体のスリンダクから精製したスリンダクのＲエピマーであることを特徴とする使用。
【請求項３】
請求項１に記載の使用において、前記スリンダク誘導体が、ラセミ体のスリンダクから精製したスリンダクのＳエピマーであることを特徴とする使用。
【請求項４】
請求項１に記載の使用において、前記スリンダク誘導体が、スリンダクメチオニンスルホキシドであることを特徴とする使用。  
【請求項５】
請求項１ないし４に記載の使用において、前記細胞が心筋細胞であることを特徴とする使用。
【請求項６】
請求項１ないし４に記載の使用において、前記細胞に対する酸化ダメージが虚血及び再潅流障害によって生じることを特徴とする使用。
【請求項７】
請求項１ないし４に記載の使用において、前記細胞が哺乳類の対象にあることを特徴とする使用。
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
核酸複合体を有する粒子を形成する方法であって、
核酸をカチオン性キャリア剤と接触させて核酸複合体を形成し、
ポリマー賦形剤を含む溶液に、核酸複合体を接触させて粒子形成溶液を生成し、
粒子形成溶液を相分離して粒子を形成することを含む方法。
【請求項２】
核酸がｓｉＲＮＡを含む、請求項１に記載の方法。
【請求項３】
形成された粒子を有機溶媒に懸濁させることをさらに含む、請求項１又は２に記載の方法。
【請求項４】
形成された粒子を徐放マトリクス内に配置することをさらに含む、請求項１〜３の何れか一項に記載の方法。
【請求項５】
ポリマー賦形剤がペプチドまたは多糖のうちの少なくとも１つを含む、請求項１〜４の何れか一項に記載の方法。
【請求項６】
ペプチドが、ＩｇＧ、Ｆａｂ、ＢＳＡ、およびＨｕＳＡからなる群から選択される、請求項５に記載の方法。
【請求項７】
多糖がグリコーゲンを含む、請求項５に記載の方法。
【請求項８】
両親媒性ポリマーがポリエチレングリコールを含む、請求項１〜７の何れか一項に記載の方法。
【請求項９】
カチオン性キャリア剤が、ペプチド、脂質またはカチオン性ポリマーのうちの１つ以上を含む、請求項１〜８の何れか一項に記載の方法。
【請求項１０】
形成された粒子を溶出制御マトリクス内に配置することをさらに含む、請求項１〜９の何れか一項に記載の方法。
【請求項１１】
活性剤送達装置であって、
当該装置が、核酸とカチオン性キャリア剤とを含む核酸複合体と、相分離されるポリマー賦形剤と、を含み、核酸複合体およびポリマー賦形剤が、一緒に配置されて粒子を形成し、粒子の平均直径が１００ｕｍ未満であり、
当該装置が、０〜５重量％の両親媒性ポリマーを更に含み、両親媒性ポリマーが、相分離を開始するのに使用される、装置。
【請求項１２】
ポリマー賦形剤がペプチドまたは多糖のうちの少なくとも１つを含む、請求項１１に記載の装置。
【請求項１３】
ペプチドが、ＩｇＧ、Ｆａｂ、ＢＳＡ、およびＨｕＳＡからなる群から選択される、請求項１２に記載の装置。
【請求項１４】
多糖がグリコーゲンを含む、請求項１２に記載の装置。
【請求項１５】
両親媒性ポリマーがポリエチレングリコールを含む、請求項１１〜１４の何れか一項に記載の装置。
【請求項１６】
カチオン性キャリア剤が、ペプチド、脂質またはカチオン性ポリマーのうちの１つ以上を含む、請求項１１〜１５の何れか一項に記載の装置。
【請求項１７】
溶出制御マトリクスをさらに含み、粒子が溶出制御マトリクス内に配置される、請求項１１〜１６の何れか一項に記載の装置。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
汚損を低減または防止する方法における式(I)：
【化１】
2011520878.tif 000001
(式中、
R1およびR2は、独立して、置換されていてもよいアリールおよび置換されていてもよいC3〜C12アルキルから選択され；
R3およびR4は、独立して、ヒドロキシル、置換されていてもよいC1〜C6アルキル、置換されていてもよいフェニルおよびHから選択される)
で表される化合物の使用。
【請求項２】
R1およびR2の少なくとも1つの基がC3-5アルキルである、請求項1に記載の使用。
【請求項３】
R1およびR2の少なくとも1つの基がn-ブチルである、請求項2に記載の使用。
【請求項４】
R1およびR2の少なくとも1つの基がC5〜C15アリール、好ましくはフェニルである、請求項1〜3のいずれか1項に記載の使用。
【請求項５】
(a)R1およびR2の1つの基がフェニルであり、他方の基がn-ブチルであるか、または(b)R1およびR2が同一である、請求項4に記載の使用。
【請求項６】
(a)R1およびR2が両方ともn-ブチルであるか、または(b)R1およびR2が両方ともフェニルである、請求項5に記載の使用。
【請求項７】
R1およびR2の1つまたは両方の基が非置換である、請求項1〜6のいずれか1項に記載の使用。
【請求項８】
(a)R3およびR4の1つの基がヒドロキシルであり、他方の基がHであるか、(b)R3およびR4の両方がHであるか、または(c)R3およびR4の1つまたは両方の基が置換C1-C6アルキルである、請求項1〜7のいずれか1項に記載の使用。
【請求項９】
R3およびR4の1つまたは両方の基がヒドロキシ-C1-C6-アルキルである、請求項8に記載の使用。
【請求項１０】
R3およびR4の1つの基が-CH2CH2OHであり、R3およびR4の他の1つの基がHである、請求項9に記載の使用。
【請求項１１】
化合物が、化合物12.2、12.1、12.7、12.4、12.8、12.9、12.10、12.11、12.12、4.1、4.3、9.2、9.3および4.5から選択される、請求項1に記載の使用。
【請求項１２】
汚損を防止または低減する方法が、(a)ミクロ汚損またはマクロ汚損を防止または低減する方法；(b)バイオフィルム形成を低減または防止する方法；(c)1種または複数の細菌、真菌、藻類および原生動物によるバイオフィルム形成を低減または防止する方法；(d)細菌によるバイオフィルム形成を低減または防止する方法；(e)1種または複数の甲殻類、コケムシおよび軟体動物によるマクロ汚損を低減または防止する方法；または(f) 1種または複数のフジツボおよびムラサキイガイならびにそれらの幼生によるマクロ汚損を低減または防止する方法である、請求項1〜11のいずれか1項に記載の使用。
【請求項１３】
基体に請求項1〜11のいずれか1項に定義した化合物を適用するステップを含む、基体の汚損を防止または低減する方法。
【請求項１４】
請求項1〜11のいずれか1項に定義した化合物を含む、防汚組成物またはコーティング組成物。
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
心不全を治療するための医薬の製造における医薬的に活性なリラキシンの使用であって、前記心不全の治療は、代償不全の頻度もしくは期間を減らすおよび／または心不全による死亡リスクを減らすのに治療上有効な量で、ニューヨーク心臓協会（ＮＹＨＡ）による心不全分類でクラスＩＩまたはクラスＩＩＩの心不全を有するヒト被験体へリラキシンを投与することを含む、前記使用。
【請求項２】
上記被験体が、約８５ｍｍＨｇ以上の収縮期血圧を有する、請求項１に記載の使用。
【請求項３】
上記投与によって、全身血管抵抗、肺毛細管楔入圧、肺血管抵抗、血中尿素窒素、クレアチニンおよび循環Ｎ末端プロホルモン脳性ナトリウム利尿ペプチドのうちの１つ以上をさらに低下させる、請求項１に記載の使用。
【請求項４】
上記被験体が、急性心不全のための入院を必要としない、請求項１に記載の使用。
【請求項５】
機能的能力を改善するための医薬の製造における医薬的に活性なリラキシンの使用であって、前記機能的能力の改善は、機能的能力を改善するのに治療上有効な量でニューヨーク心臓協会（ＮＹＨＡ）による心不全分類でクラスＩＩＩまたはクラスＩＶの心不全を有するヒト被験体へリラキシンを投与することを含む、前記使用。
【請求項６】
心不全を治療するための医薬の製造における医薬的に活性なリラキシンの使用であって、前記心不全の治療は、併用される慢性心不全薬の使用を減らすのに治療上有効な量でヒト被験体へリラキシンを投与することを含み、
ここで、前記併用される医薬は、抗血小板薬、β遮断薬、利尿薬および抗アンジオテンシン療法のうちの１つ以上を含むものである、前記使用。
【請求項７】
上記被験体が、ニューヨーク心臓協会（ＮＹＨＡ）による心不全分類でクラスＩＩまたはクラスＩＩＩの心不全を有する、請求項６に記載の使用。
【請求項８】
上記投与によって、全身血管抵抗、肺毛細管楔入圧、肺血管抵抗、血中尿素窒素、クレアチニンおよび循環Ｎ末端プロホルモン脳性ナトリウム利尿ペプチドのうちの１つ以上をさらに低下させる、請求項６に記載の使用。
【請求項９】
心不全を治療するための医薬の製造における医薬的に活性なリラキシンの使用であって、前記心不全の治療は、約２．５Ｌ／分／ｍ２未満の心係数を有する被験体の心係数を増加させるのに治療上有効な量でヒト被験体へリラキシンを投与することを含む、前記使用。
【請求項１０】
前記被験体が、急性心不全のための入院を必要としていない、請求項９に記載の使用。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
有効量のＩＳＳを含むアレルギー性鼻炎の治療のために医薬組成物であって、それを必要とする個体に反復投与され、当該投与が、アレルギー性鼻炎の長期疾患改良をもたらす、医薬組成物。
【請求項２】
前記反復投与が週１回の頻度で行なわれる、請求項１に記載の医薬組成物。
【請求項３】
前記ＩＳＳが、治療の過程において少なくとも３回投与される、請求項１に記載の医薬組成物。
【請求項４】
前記ＩＳＳが、治療の過程において少なくとも５回投与される、請求項１に記載の医薬組成物。
【請求項５】
前記ＩＳＳが、治療の過程において少なくとも８回投与される、請求項１に記載の医薬組成物。
【請求項６】
前記長期疾患改良が、前記個体におけるＴｈ２応答の減少である、請求項１に記載の医薬組成物。
【請求項７】
前記個体におけるＴｈ２応答の減少が、ＩＬ−４、ＩＬ−５、ＩＬ−１０、及びＩＬ−１３からなる群から選択される任意の１つのサイトカインの減少である、請求項６に記載の医薬組成物。
【請求項８】
前記個体におけるＴｈ２応答の減少が、気道における好酸球侵入の減少である、請求項６に記載の医薬組成物。
【請求項９】
前記長期疾患改良が、ＩＳＳの最後の投与後、少なくとも８週継続する、請求項１に記載の医薬組成物。
【請求項１０】
前記長期疾患改良が、ＩＳＳの最後の投与後、少なくとも１３週継続する、請求項１に記載の医薬組成物。
【請求項１１】
前記ＩＳＳが、１０１８ ＩＳＳ、ＣｐＧ含有ＩＳＳ、及びキメラ免疫調節化合物からなる群から選択される、請求項１に記載の医薬組成物。
【請求項１２】
前記ＩＳＳが、式：５'−Ｎx（ＴＣＧ（Ｎq））yＮw（Ｘ1Ｘ2ＣＧＸ2'Ｘ1'（ＣＧ）p）z（式中、Ｎは、ｘ＝０〜３、ｙ＝１〜４、ｗ＝−２、−１、０、１又は２、ｐ＝０又は１、ｑ＝０、１又は２、及びｚ＝１〜２０であるヌクレオチドであり、Ｘ1及びＸ1'、Ｘ2及びＸ2'は自己相補的であり、且つ（ＴＣＧ（Ｎq））y配列の５'Ｔは、ポリヌクレオチドの５'末端から０〜３塩基である）である、請求項１に記載の医薬組成物。
【請求項１３】
複合化されていない、請求項１に記載の医薬組成物。
【請求項１４】
前記ＩＳＳが、ホスホロチオエート結合を含む、請求項１又は１２に記載の医薬組成物。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
絹フィブロインベースの送達系およびアデノシンを含む、脳中にアデノシンを局所投与するための組成物であって、発作を軽減するか、またはてんかん発生を予防する組成物。
【請求項２】
徐放性の絹ベースのアデノシン送達系においてアデノシンを局所的に投与する段階を含む、てんかんを治療するか、またはてんかん発生を予防する方法。
【手続補正２】
【補正対象書類名】明細書
【補正対象項目名】００１０
【補正方法】変更
【補正の内容】
【００１０】
アデノシンが送達されるのにかかる時間の長さは、約1ヶ月以上、1年超以下の長さまであり得る。例えば、短期間送達、例えば、外傷性脳損傷のようなてんかん発生の引き金となる事象後に1ヶ月送達することにより、てんかん発生を予防することができる。てんかんは典型的には永続性疾患であるため、治療的埋め込み剤の系は、対象の生涯を通じて発作制御を提供するために使用され得る。したがって、本発明の態様は、絹フィブロインアデノシン埋め込み剤によって約1年間アデノシンを送達し、その後、任意の期限切れスキャフォルドを除去し、新しい埋め込み剤に交換する埋め込み剤の系であって、永続的に埋め込まれたカテーテルを介して実現され得る系を提供する。
[本発明1001]
絹フィブロインベースの送達系およびアデノシンを含む、脳中にアデノシンを局所投与するための組成物であって、発作を軽減するか、またはてんかん発生を予防する組成物。
[本発明1002]
前記系が、約50ng/日〜約10mg/日のアデノシンを送達する、本発明1001の組成物。
[本発明1003]
前記系が、約200ng/日以上、約5mg/日以下のアデノシンを送達する、本発明1002の組成物。
[本発明1004]
前記系が、約1mg/日以上、約10mg/日以下のアデノシンを送達する、本発明1001の組成物。
[本発明1005]
絹フィブロインおよびアデノシンを含む、脳中に配置するための生体適合性で生分解性の埋め込み剤であって、埋め込まれると、少なくとも8日間連続して、約1mg/日以上、約10mg/日以下のアデノシンを放出する、埋め込み剤。
[本発明1006]
絹フィブロインおよびアデノシンを含む、脳中に配置するための生体適合性で生分解性の埋め込み剤であって、埋め込まれると、少なくとも8日間連続して、約800ng/日以上、約1100ng/日以下のアデノシンを放出する、埋め込み剤。
[本発明1007]
絹フィブロインおよびアデノシンを含む、脳中に配置するための生体適合性で生分解性の埋め込み剤であって、埋め込まれると、少なくとも8日間連続して、約200ng/日以上、約5mg/日以下のアデノシンを放出する、埋め込み剤。
[本発明1008]
徐放性の絹ベースのアデノシン送達系においてアデノシンを局所的に投与する段階を含む、てんかんを治療するか、またはてんかん発生を予防する方法。
[本発明1009]
前記送達系が、約50ng/日以上、約50mg/日以下のアデノシンを放出する、本発明1008の方法。
[本発明1010]
前記送達系が、約200ng/日以上、約5mg/日以下のアデノシンを放出する、本発明1009の方法。
[本発明1011]
前記送達系が、少なくとも約1mg/日以上、約10mg/日以下のアデノシンを放出する、本発明1009の方法。
【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
フルオロキノロンベタインおよび添加剤を含む粒子を含む、肺に投与するための粉末組成物であって、前記粒子が約１μｍ〜約５μｍの空気動力学的質量中央径を有する、粉末組成物。
【請求項２】
前記フルオロキノロンが、結晶形態にある、請求項１に記載の組成物。
【請求項３】
前記フルオロキノロンが、シプロフロキサシンを含む、請求項１に記載の組成物。
【請求項４】
前記シプロフロキサシンベタインが３．５水和物を含む、請求項３に記載の組成物。
【請求項５】
受動的乾燥粉末吸入装置内で、少なくとも約５０％の放出用量を提供する、請求項１に記載の組成物。
【請求項６】
少なくとも１．５時間の肺中半減期を有する、請求項１に記載の組成物。
【請求項７】
単位用量容器内にあり、前記単位用量容器内の組成物の質量が、少なくとも約１０ｍｇの用量で肺に提供するのに十分である、請求項１に記載の組成物。
【請求項８】
前記単位用量容器内の組成物が、少なくとも約１６ｍｇのシプロフロキサシンベタインを含む、請求項７に記載の組成物。
【請求項９】
前記添加剤が、リン脂質、金属イオン又はその両方を含む、請求項１に記載の組成物。
【請求項１０】
粉末形態の組成物を収納する容器を備える、肺に投与するための単位投与剤形であって、前記組成物がシプロフロキサシンベタイン３．５水和物を含む単位投与剤形。
【請求項１１】
前記容器が、嚢胞性線維症を治療するための、前記組成物の治療用量を収納する、請求項１０に記載の単位投与剤形。
【請求項１２】
気管支内感染症を治療するための医薬であって、前記治療を必要とする患者に吸引により投与するための有効量の組成物を含み、前記組成物が、フルオロキノロンベタインと少なくとも１種類の添加剤とを含む粒子を含み、および前記粒子が、約１μｍ〜約５μｍの空気動力学的質量中央径を有する、医薬。
【請求項１３】
前記気管支内感染症が、緑膿菌を含む、請求項１２に記載の医薬。
【請求項１４】
前記有効量が、４回以下の吸引で投与される、請求項１２に記載の医薬。
【請求項１５】
前記有効量が、３分以内で投与される、請求項１２に記載の医薬。
【請求項１６】
前記フルオロキノロンベタインが、シプロフロキサシンベタイン３．５水和物を含む、請求項１２に記載の医薬。
【請求項１７】
トブラマイシン治療と共に、補助的に投与される、請求項１２に記載の医薬。
【請求項１８】
前記トブラマイシン治療が、トブラマイシンが投与される治療期間と、トブラマイシンが投与されない休薬期間とを含み、および前記フルオロキノロンベタインが、前記トブラマイシン休薬期間中に投与される、請求項１７に記載の医薬。
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
哺乳動物における高尿酸血症の治療において使用するためのナトリウムグルコース輸送体２（ＳＧＬＴ２）阻害剤であって、該ＳＧＬＴ２阻害剤が、
【化１】
2011520965.tif 000001
、またはそのプロドラッグエステル、またはそのプロピレングリコール溶媒和物である、ＳＧＬＴ２阻害剤。
【請求項２】
該ＳＧＬＴ２阻害剤が、
【化２】
2011520965.tif 000002
である、請求項１に記載のＳＧＬＴ２阻害剤。
【請求項３】
該ＳＧＬＴ２阻害剤が尿量を増加し、かつ、血清総尿酸値を低下させることを特徴とする、請求項１または２に記載のＳＧＬＴ２阻害剤。
【請求項４】
哺乳動物がヒトである、請求項１〜３いずれか１つに記載のＳＧＬＴ２阻害剤。
【請求項５】
該ヒトが高尿酸血症の結果として痛風であり、かつ、高尿酸血症の治療が該ヒトの痛風の症状を防ぐことを特徴とする、請求項４に記載のＳＧＬＴ２阻害剤。
【請求項６】
該ＳＧＬＴ２阻害剤が、炭水化物の供給体の投与前に、投与後に、または同時に投与されることを特徴とする、請求項１〜５のいずれか１つに記載のＳＧＬＴ２阻害剤。
【請求項７】
該ＳＧＬＴ２阻害剤が、尿酸合成阻害剤の投与前に、投与後に、または同時に投与されることを特徴とする、請求項１〜５のいずれか１つに記載のＳＧＬＴ２阻害剤。
【請求項８】
該尿酸合成阻害剤がキサンチンオキシダーゼ阻害剤である、請求項７に記載のＳＧＬＴ２阻害剤。
【請求項９】
該ＳＧＬＴ２阻害剤が低血糖症を誘導することなく高尿酸血症を治療するのに十分な量で投与されることを特徴とする、請求項１〜８のいずれか１つに記載のＳＧＬＴ２阻害剤。
【請求項１０】
ＳＧＬＴ２阻害剤、および尿酸合成阻害剤または炭水化物の供給体を含む医薬組成物であって、該ＳＧＬＴ２阻害剤が
【化３】
2011520965.tif 000003
、またはそのプロドラッグエステル、またはそのプロピレングリコール溶媒和物である、医薬組成物。
【請求項１１】
該ＳＧＬＴ２阻害剤が
【化４】
2011520965.tif 000004
である、請求項１０に記載の医薬組成物。
【請求項１２】
該尿酸合成阻害剤がキサンチンオキシダーゼ阻害剤である請求項１０または１１に記載の医薬組成物。
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
配列番号７のアミノ酸配列または配列番号７に対して少なくとも７０％の同一性を有するアミノ酸配列を含む、単離ｓＣＤ８３ポリペプチドであって；配列番号７のアミノ酸残基１２、２０、８５および９２の１以上が存在しないか、またはシステイン以外のアミノ酸であり；そして場合によって、アミノ酸残基１、２、３、４および１３０の１以上が存在しない、前記ポリペプチド。
【請求項２】
アミノ酸残基８５がシステイン以外のアミノ酸残基である、請求項１のポリペプチド。
【請求項３】
アミノ酸残基１２、２０、９２および１１４がシステインである、請求項２のポリペプチド。
【請求項４】
アミノ酸残基８５がセリンである、請求項３のポリペプチド。
【請求項５】
配列同一性が少なくとも９５％である、請求項１〜４のいずれか一項のポリペプチド。
【請求項６】
配列同一性が１００％である、請求項５のポリペプチド。
【請求項７】
配列番号７、配列番号７のアミノ酸残基１〜１２９、配列番号７のアミノ酸残基５〜１２９、および配列番号７のアミノ酸残基５〜１３０からなる群より選択される配列からなる、請求項１のポリペプチド。
【請求項８】
アミノ酸残基１２、２０、９２および１１４がシステインである、請求項７のポリペプチド。
【請求項９】
アミノ酸残基８５がセリンである、請求項８のポリペプチド。
【請求項１０】
配列番号１３、配列番号１５、配列番号１７、配列番号１９、配列番号２１、配列番号２３、配列番号２５、配列番号２７、配列番号２９および配列番号３１からなる群より選択されるアミノ酸配列を含む単離ｓＣＤ８３ポリペプチドであって；場合によってアミノ酸残基１２６が存在しない、前記ポリペプチド。
【請求項１１】
請求項１〜１０のいずれか一項のポリペプチドを含む薬学的組成物。
【請求項１２】
請求項１〜１０のいずれか一項のポリペプチドをコードするポリヌクレオチド。
【請求項１３】
哺乳動物被験体において、望ましくない免疫応答を治療するかまたは防止するための、請求項１１に記載の医薬組成物。
【請求項１４】
望ましくない免疫応答が、自己免疫疾患、移植片拒絶およびアレルギーからなる群より選択される、請求項１３の医薬組成物。
【請求項１５】
自己免疫疾患が、全身性エリテマトーデス、Ｉ型糖尿病、天疱瘡、グレーブス病、橋本甲状腺炎、重症筋無力症、自己心筋炎（ａｕｔｏｍｙｏｃａｒｄｉｔｉｓ）、多発性硬化症、関節リウマチ、乾癬、自己免疫網膜ブドウ膜炎、血管炎、慢性炎症性腸疾患、クローン病または潰瘍性大腸炎、ビヒテレフ病（Ｍｏｒｂｕｓ  Ｂｅｃｈｔｅｒｅｗ）、強直性脊椎炎および慢性閉塞性肺疾患（ＣＯＰＤ）からなる群より選択される、請求項１４の医薬組成物。
【請求項１６】
望ましくない免疫応答が移植片拒絶である、請求項１５の医薬組成物。
【請求項１７】
シクロスポリンＡ（ＣｓＡ）；抗ＣＤ４５ＲＢモノクローナル抗体を加えたラパマイシン；およびミコフェノール酸モフェチル（ＭＭＦ）を加えたタクロリムス（ＦＫ５０６）の１以上をさらに含む、請求項１３〜１６のいずれか一項の医薬組成物。
【請求項１８】
哺乳動物移植レシピエントにおいて、移植転帰を改善するための請求項１１に記載の医薬組成物であって、さらに１以上の免疫抑制剤を含み、免疫抑制剤が前記ポリペプチドと相乗的に働いて、移植転帰を改善する、医薬組成物。
【請求項１９】
前記免疫抑制剤がシクロスポリンＡである、請求項１８の医薬組成物。
【請求項２０】
前記免疫抑制剤が、抗ＣＤ４５ＲＢモノクローナル抗体を加えたラパマイシン；またはミコフェノール酸モフェチル（ＭＭＦ）を加えたタクロリムス（ＦＫ５０６）である、請求項１８の医薬組成物。
【請求項２１】
請求項１〜１０のいずれか一項の単離ｓＣＤ８３ポリペプチドであって、ここで前記ポリペプチドが大腸菌（Ｅｓｃｈｅｒｉｃｈｉａ  ｃｏｌｉ）から単離されたものである、ポリペプチド。
【請求項２２】
請求項１１および１３〜２０のいずれか一項に記載の医薬組成物であって、ここで前記ポリペプチドが大腸菌（Ｅｓｃｈｅｒｉｃｈｉａ  ｃｏｌｉ）から単離されたものである、医薬組成物。
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
（ａ）アルコール；
（ｂ）有機酸；
（ｃ）パラベン；及び
（ｄ）レドックス化合物を含有し、
約３〜約７のｐＨを有する抗菌性組成物。
【請求項２】
有機酸が、約１．５重量％〜約１５重量％の濃度を有する、請求項１に記載の組成物。
【請求項３】
少なくとも約３０重量％のアルコールを含有する、請求項１又は２に記載の組成物。
【請求項４】
イソプロピルアルコールを含有する、請求項１〜３のいずれか１項に記載の組成物。
【請求項５】
有機酸がクエン酸を含む、請求項１〜４のいずれか１項に記載の組成物。
【請求項６】
約０．１重量％〜約０．４重量％の濃度のメチルパラベン、及び約０．０１重量％〜０．２重量％の濃度のプロピルパラベンを含有する、請求項１〜５のいずれか１項に記載の組成物。
【請求項７】
レドックス化合物がカチオン性化合物、感光性レドックス化合物、又はフェノチアジン色素を含む、請求項１〜６のいずれか１項に記載の組成物。
【請求項８】
レドックス化合物が、メチレンブルー、ローズベンガル、ヒペリシン、メチレンバイオレット、プロフラビン、リボフラビン、リバノール、アクリフラビン、トルイジンブルー、トリパンブルー、ニュートラルレッド、ｄ−メチル、アズールａ、アズールｂ、メチレングリーン、ジメチルメチレンブルー、アクリジンオレンジ及びこれらの混合物からなる群より選択される、請求項１〜６のいずれか１項に記載の組成物。
【請求項９】
レドックス化合物がメチレンブルーを含み、組成物におけるメチレンブルーの濃度が約０．０３重量％〜約０．１２重量％である、請求項１〜６のいずれか１項に記載の組成物。
【請求項１０】
（ａ）少なくとも約３０重量％の濃度のＣ１〜Ｃ６アルコール；
（ｂ）約４重量％〜約８重量％の濃度のクエン酸；
（ｃ）最大約０．６重量％の濃度のパラベン；及び
（ｄ）最大約０．２重量％の濃度のメチレンブルーを含有し、
約３〜約７のｐＨを有する、請求項１記載の抗菌性組成物。
【請求項１１】
塩基性有機塩を中に溶解又は分散させてさらに含有する、請求項１〜１０のいずれか１項に記載の組成物。
【請求項１２】
クエン酸塩を中に溶解又は分散させてさらに含有する、請求項１〜１０のいずれか１項に記載の組成物。
【請求項１３】
皮膚上の微生物の存在を低減するため、又は開いた軟組織の創傷を消毒するための、請求項１〜１２のいずれか１項に記載の組成物。
【請求項１４】
請求項１〜１２のいずれか１項に記載の抗菌性組成物を含む溶液槽を提供する工程；及び
手術器具を消毒するために溶液槽に浸漬させる工程
を含む、手術器具の消毒方法。
【請求項１５】
（ａ）吸収性材料とそこに吸収された請求項１〜１２のいずれか１項に記載の抗菌性組成物；又は
（ｂ）吸収性材料とある量の請求項１〜１２のいずれか１項に記載の抗菌性組成物を収納するハンドル部、を含むアプリケーター。
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
夜間排尿の減少を必要とする女性患者において、夜間排尿を減少させる方法であって、  １０μｇ又は２５μｇの口腔内崩壊用量のデスモプレシンを就寝時刻前に前記患者に投与することを含み、前記用量が、デスモプレシンの遊離塩基として測定され、かつ治療期間にわたって服用される用量が、前記患者の夜間排尿を減少させる方法。
【請求項２】
前記用量が、患者の就寝時刻の０．８〜３時間前に服用される、請求項１に記載の方法。
【請求項３】
前記用量が、１日１回服用される、請求項１に記載の方法。
【請求項４】
デスモプレシン遊離塩基の用量が、デスモプレシンの酢酸塩の形状で供給される、請求項１に記載の方法。
【請求項５】
デスモプレシンの前記口腔内崩壊用量が、酢酸デスモプレシンと、ゼラチンと、マンニトールと、クエン酸とを含む剤形である、請求項１に記載の方法。
【請求項６】
夜間排尿の減少を必要とする前記患者が、夜間頻尿又は夜間多尿を有する、請求項１に記載の方法。
【請求項７】
前記減少が、少なくとも１回の夜間排尿である、請求項１に記載の方法。
【請求項８】
治療期間が、８日、１５日、２２日及び２８日から選択される、請求項１に記載の方法。
【請求項９】
女性患者が５０歳を超える女性患者である、請求項１に記載の方法。
【請求項１０】
女性患者が６５歳を超える女性患者であり、２５μｇの口腔内崩壊用量のデスモプレシンを就寝時刻前に前記患者に投与することを含む、請求項１に記載の方法。
【請求項１１】
夜間尿量の減少を必要とする男性患者において、夜間尿量を減少させる方法であって、  前記患者の血清ナトリウム濃度を測定し；
１００μｇの口腔内崩壊用量のデスモプレシンを就寝時刻前に、少なくとも１３５ｍｍｏｌ／Ｌの血清ナトリウム濃度を有する前記患者に投与し、前記用量が、デスモプレシンの遊離塩基として測定され；
投与後、時間間隔をおいて患者の血清ナトリウム濃度を測定し；
少なくとも１３０ｍｍｏｌ／Ｌの血清ナトリウム濃度を有する前記患者に用量のデスモプレシンの投与を継続することを含み；
治療期間にわたって投与される用量が、前記患者の夜間尿量を減少させる方法。
【請求項１２】
前記時間間隔が、４日から２８日に及ぶ、請求項１１に記載の方法。
【請求項１３】
前記時間間隔が、４日である、請求項１２に記載の方法。
【請求項１４】
前記時間間隔が、２８日である請求項１２に記載の方法。
【請求項１５】
前記用量が、患者の就寝時刻の０．８〜３時間前に服用される、請求項１１に記載の方法。
【請求項１６】
前記用量が、１日１回服用される、請求項１１に記載の方法。
【請求項１７】
デスモプレシン遊離塩基の用量が、デスモプレシンの酢酸塩の形状で供給される、請求項１１に記載の方法。
【請求項１８】
デスモプレシンの前記口腔内崩壊用量が、酢酸デスモプレシンと、ゼラチンと、マンニトールと、クエン酸とを含む剤形である、請求項１１に記載の方法。
【請求項１９】
夜間尿量の減少を必要とする前記患者が、夜間頻尿又は夜間多尿を有する、請求項１１に記載の方法。
【請求項２０】
治療期間が、２８日である、請求項１１に記載の方法。
【請求項２１】
前記減少が、２１１ｍｌから３１７ｍｌに及ぶ、請求項１１に記載の方法。
【請求項２２】
前記減少が、２３８ｍｌから２９０ｍｌに及ぶ、請求項２１に記載の方法。
【請求項２３】
前記減少が、２６４ｍｌである、請求項２２に記載の方法。
【請求項２４】
前記患者が、前記患者の全平均一日尿生成速度よりも高い、睡眠中の尿生成速度を有する、請求項１１に記載の方法。
【請求項２５】
前記患者が、投与後少なくとも１３５の血清ナトリウム濃度を有し、６５歳を超える、請求項１１に記載の方法。
【請求項２６】
夜間頻尿の治療を必要とする被検者に、用量のデスモプレシンを舌下投与することを含む夜間頻尿を治療する方法であって、前記用量が、遊離塩基として測定され、かつ一日に１０μｇ、２５μｇ、５０μｇ及び１００μｇのデスモプレシンからなるグループから選択される方法。
【請求項２７】
デスモプレシン遊離塩基の用量が、デスモプレシンの酢酸塩の形状で供給される、請求項２６に記載の方法。
【請求項２８】
前記デスモプレシンが、就寝時刻の１時間前に１日１回投与される、請求項２６に記載の方法。
【請求項２９】
前記デスモプレシンが、少なくとも２８日の期間に投与される、請求項２６に記載の方法。
【請求項３０】
前記デスモプレシンが、酢酸デスモプレシンの経口凍結乾燥物として投与される、請求項２６に記載の方法。
【請求項３１】
前記デスモプレシンが、ゼラチン、マンニトール及びクエン酸とともに処方される凍結乾燥した状態の酢酸デスモプレシンを含むデスモプレシン速溶性錠剤として就寝時刻前に１日１回投与される、請求項２６に記載の方法。
【請求項３２】
夜間頻尿の治療を必要とする前記被検者が、夜間多尿を有する、請求項２６に記載の方法。
【請求項３３】
治療される被検者が、デスモプレシンによる治療の２８日後、一晩当たり最小０．５回少ない夜間排尿の平均を有する、請求項２６に記載の方法。
【請求項３４】
夜間頻尿の治療を必要とする前記被検者が、６５歳未満である、請求項２６に記載の方法。
【請求項３５】
夜間頻尿の治療を必要とする前記被検者が、少なくとも６５歳である、請求項２６に記載の方法。
【請求項３６】
前記被検者が、デスモプレシンによる治療前に低血清ナトリウム濃度を有さない、請求項２６に記載の方法。
【請求項３７】
前記被検者が、デスモプレシンによる治療後に妨げられない睡眠の初期期間の統計的に有意な持続時間増加を有する、請求項２６に記載の方法。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
化合物：６−｛２−［１−（６−メチル−３−ピリダジニル）−４−ピペリジニル］エトキシ｝−３−エトキシ−１，２−ベンズイソキサゾールビス−リン酸二水素塩（１：２）。
【請求項２】
２θピークが、３．３°、６．７°、１２．８°、１３．３°、１４．１°、１９．２°、２０．０°、２１．１°及び２２．４°のＸ線粉末回折パターンを有する、請求項１に記載の化合物：６−｛２−［１−（６−メチル−３−ピリダジニル）−４−ピペリジニル］エトキシ｝−３−エトキシ−１，２−ベンズイソキサゾールビス−リン酸二水素塩（１：２）。
【請求項３】
本質的に結晶である、請求項１又は請求項２に記載の化合物。
【請求項４】
生理的に許容される溶媒和物又は水和物の形態である、請求項１から３のいずれかに記載の化合物。
【請求項５】
請求項１から４のいずれかに記載の化合物から本質的に成る混合物。
【請求項６】
請求項１から４のいずれかに記載の化合物を、１種又は複数の医薬として許容される担体と一緒に含む医薬組成物。
【請求項７】
さらにグルコースを含む、請求項６に記載の医薬組成物。
【請求項８】
経口送達用に製剤化されている、請求項６又は請求項７に記載の医薬組成物。
【請求項９】
鼻腔内送達用に製剤化されている、請求項６に記載の医薬組成物。
【請求項１０】
請求項１から４のいずれかに記載の化合物、又は請求項６から９のいずれかに記載の医薬組成物を含む、ピコルナウイルス感染症を処置又は予防するための医薬。
【請求項１１】
ピコルナウイルス感染症が、ヒトライノウイルス（ＨＲＶ）である請求項１０に記載の医薬。
【請求項１２】
ピコルナウイルス感染症を処置又は予防するための医薬の製造における、請求項１から４までのいずれか一項に記載の化合物の使用。
【請求項１３】
ピコルナウイルス感染症が、ヒトライノウイルス（ＨＲＶ）である、請求項１２に記載の使用。
【請求項１４】
６−｛２−［１−（６−メチル−３−ピリダジニル）−４−ピペリジニル］エトキシ｝−３−エトキシ−１，２−ベンズイソキサゾールを、約２モル当量のリン酸と接触させるステップを含む、請求項１又は請求項２に記載の化合物の生成方法。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
エウスタキオ管機能障害を治療するためのベタヒスチンを含む、鼻咽頭に適用するための局所用組成物。
【請求項２】
点鼻剤または定量鼻スプレーの形の請求項1記載の局所用組成物。
【請求項３】
ベタヒスチンが塩の形である請求項1または2記載の局所用組成物。
【請求項４】
ベタヒスチンが二塩酸塩の形である請求項3記載の局所用組成物。
【請求項５】
さらに少なくとも1の医薬的に許容される担体、希釈剤、または賦形剤を含む請求項1〜4のいずれかに記載の局所用組成物。
【請求項６】
ベタヒスチン(遊離塩基で計算)/担体濃度が0.1mg/mL〜50mg/mLである請求項5記載の局所用組成物。
【請求項７】
該濃度が10mg/mL以下である請求項6記載の局所用組成物。
【請求項８】
さらに医薬活性物質を含む請求項1〜7のいずれかに記載の局所用組成物。
【請求項９】
さらなる医薬活性物質が粘膜溶解薬または充血除去剤である請求項8記載の局所用組成物。
【請求項１０】
エウスタキオ管機能障害が中耳炎である請求項1〜9のいずれかに記載の局所用組成物。
【請求項１１】
エウスタキオ管機能障害が滲出性中耳炎である請求項1〜9のいずれかに記載の局所用組成物。
【請求項１２】
エウスタキオ管機能障害が急性中耳炎(AOM)または航空性中耳炎(AM)である請求項1〜9のいずれかに記載の局所用組成物。
【請求項１３】
エウスタキオ管機能障害の治療を要する対象のエウスタキオ管に局所適用するためのエウスタキオ管機能障害治療用医薬の製造におけるベタヒスチンの使用。
【請求項１４】
エウスタキオ管機能障害が中耳炎、滲出性中耳炎、急性中耳炎、または航空性中耳炎である請求項13に記載の使用。
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
式Ｉ：
【化１２】
2011520930.tif 000001
（式中、Ｒは、メチル、フェニル、４−ヒドロキシ−フェニルまたは４−メトキシフェニルである）
で示される化合物、ならびにその薬学的な塩、互変異性体および立体異性体を製造する方法であって、式II：
【化１３】
2011520930.tif 000002
で示される化合物およびその塩を、式III：
【化１４】
2011520930.tif 000003
（式中、Ｒは、上記に定義されたとおりである）
で示される化合物と、無機および／または有機塩基の存在もしくは不在下、極性溶媒または溶媒混合物中で反応させ、ここで、該塩基が、Ｋ２ＣＯ３、ＮａＨＣＯ３、ＮａＯＭｅ、Ｎａ２ＣＯ３、ピペリジン、モルホリンの群から選択されることを特徴とする方法。
【請求項２】
Ｒが、メチルまたは４−ヒドロキシフェニルである、請求項１記載の方法。
【請求項３】
塩基が、ＮａＯＭｅまたはピペリジンの群から選択される、請求項１または２記載の方法。
【請求項４】
溶媒が、水、メタノール、エタノール、イソプロパノール、ｎ−ブタノール、２−ブタノール、ｉ−ブタノール、ｔ−ブタノール、Ｎ，Ｎ−ジメチルホルムアミドの群から単独の溶媒または溶媒混合物として選択される、請求項１〜３のいずれか１項記載の方法。
【請求項５】
式IIの化合物の濃度が、０．１〜４mol/Lである、請求項１〜４のいずれか１項記載の方法。
【請求項６】
式IIIの化合物が、式IIの化合物に対して１〜１０当量である、請求項１〜５のいずれか１項記載の方法。
【請求項７】
塩基が、式IIの化合物に対して０．９〜１０当量である、請求項１〜６のいずれか１項記載の方法。
【請求項８】
式IIIの化合物が、アセトアルデヒドである、請求項１〜７のいずれか１項記載の方法。
【請求項９】
反応が、周囲圧力下、−１０〜８０℃の温度で実施される、請求項１〜８のいずれか１項記載の方法。
【請求項１０】
反応が、周囲圧力下、−５〜６０℃の温度で実施される、請求項１〜９のいずれか１項記載の方法。
【請求項１１】
反応が、周囲圧力下、−５〜２０℃の温度で実施される、請求項１〜１０のいずれか１項記載の方法。
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
PM00104または薬学的に許容できるその塩の治療有効量、ならびにチロシンキナーゼ阻害薬、抗腫瘍白金配位錯体、代謝拮抗薬、有糸分裂阻害薬、アントラサイクリン、トポイソメラーゼIおよび/またはII阻害薬、抗腫瘍モノクローナル抗体、及びmTOR阻害薬から選択される別の抗癌薬の治療有効量を含む、癌の治療のために使用される医薬組成物。
【請求項２】
チロシンキナーゼ阻害薬、抗腫瘍白金配位錯体、代謝拮抗薬、有糸分裂阻害薬、アントラサイクリン、トポイソメラーゼIおよび/またはII阻害薬、抗腫瘍モノクローナル抗体、及びmTOR阻害薬から選択される抗癌薬の治療有効量、ならびにPM00104または薬学的に許容できるその塩の治療有効量を含む、癌の治療のための抗癌剤の治療有効性を増強するために使用される医薬組成物。
【請求項３】
PM00104または薬学的に許容できるその塩、ならびにチロシンキナーゼ阻害薬、抗腫瘍白金配位錯体、代謝拮抗薬、有糸分裂阻害薬、アントラサイクリン、トポイソメラーゼIおよび/またはII阻害薬、抗腫瘍モノクローナル抗体、及びmTOR阻害薬から選択される他の抗癌薬が、同じ組成物の部分を形成する、請求項1または2に記載の医薬組成物。
【請求項４】
PM00104または薬学的に許容できるその塩、ならびにチロシンキナーゼ阻害薬、抗腫瘍白金配位錯体、代謝拮抗薬、有糸分裂阻害薬、アントラサイクリン、トポイソメラーゼIおよび/またはII阻害薬、抗腫瘍モノクローナル抗体、及びmTOR阻害薬から選択される他の抗癌薬が、同時に、または異なる時間に投与するための別々の組成物として提供される、請求項1または2に記載の医薬組成物。
【請求項５】
PM00104または薬学的に許容できるその塩、ならびにチロシンキナーゼ阻害薬、抗腫瘍白金配位錯体、代謝拮抗薬、有糸分裂阻害薬、アントラサイクリン、トポイソメラーゼIおよび/またはII阻害薬、抗腫瘍モノクローナル抗体、及びmTOR阻害薬から選択される他の抗癌薬が、異なる時間に投与するための別々の組成物として提供される、請求項4に記載の医薬組成物。
【請求項６】
PM00104と併用される抗癌薬がチロシンキナーゼ阻害薬である、請求項1から5のいずれか一項に記載の医薬組成物。
【請求項７】
PM00104と併用される抗癌薬が、エルロチニブ、ソラフェニブ、アキシチニブ、ボスチニブ、セジラニブ、ダサチニブ、ゲフィチニブ、イマチニブ、カネルチニブ、ラパチニブ、レスタウルチニブ、ニロチニブ、セマキサニブ、スニチニブ、およびバンデタニブから選択されるチロシンキナーゼ阻害薬である、請求項6に記載の医薬組成物。
【請求項８】
PM00104と併用される抗癌薬が抗腫瘍白金配位錯体である、請求項1から5のいずれか一項に記載の医薬組成物。
【請求項９】
PM00104と併用される抗癌薬が、シスプラチン、オキサリプラチン、カルボプラチン、BBR3464、サトラプラチン、テトラプラチン、オルミプラチン、およびイプロプラチンから選択される抗腫瘍白金配位錯体である、請求項8に記載の医薬組成物。
【請求項１０】
PM00104と併用される抗癌薬が代謝拮抗薬である、請求項1から5のいずれか一項に記載の医薬組成物。
【請求項１１】
PM00104と併用される抗癌薬が、5-フルオロウラシル、ゲムシタビン、シタラビン、カペシタビン、デシタビン、フロクスウリジン、6-メルカプトプリン、メトトレキセート、フルダラビン、アミノプテリン、ペメトレキセド、ラルチトレキセド、クラドリビン、クロファラビン、フルダラビン、メルカプトプリン、ペントスタチン、およびチオグアニンから選択される代謝拮抗薬である、請求項10に記載の医薬組成物。
【請求項１２】
PM00104と併用される抗癌薬が有糸分裂阻害薬である、請求項1から5のいずれか一項に記載の医薬組成物。
【請求項１３】
PM00104と併用される抗癌薬が、パクリタキセル、ドセタキセル、ビンブラスチン、ビンクリスチン、ビンデシン、およびビノレルビンから選択される有糸分裂阻害薬である、請求項12に記載の医薬組成物。
【請求項１４】
PM00104と併用される抗癌薬がアントラサイクリンである、請求項1から5のいずれか一項に記載の医薬組成物。
【請求項１５】
PM00104と併用される抗癌薬が、ダウノルビシン、ドキソルビシン、エピルビシン、イダルビシン、ミトキサントロン、ピクサントロン、およびバルルビシンから選択されるアントラサイクリンである、請求項14に記載の医薬組成物。
【請求項１６】
PM00104と併用される抗癌薬がトポイソメラーゼIおよび/またはII阻害薬である、請求項1から5のいずれか一項に記載の医薬組成物。
【請求項１７】
PM00104と併用される抗癌薬が、トポテカン、SN-38、イリノテカン、カンプトテシン、ルビテカン、エトポシド、およびテニポシドから選択されるトポイソメラーゼIおよび/またはII阻害薬である、請求項16に記載の医薬組成物。
【請求項１８】
PM00104と併用される抗癌薬が抗腫瘍モノクローナル抗体である、請求項1から5のいずれか一項に記載の医薬組成物。
【請求項１９】
PM00104と併用される抗癌薬が、ベバシズマブ、セツキシマブ、パニツムマブ、トラスツズマブ、リツキシマブ、トシツモマブ、アレムツズマブ、およびゲムツズマブから選択される抗腫瘍モノクローナル抗体である、請求項18に記載の医薬組成物。
【請求項２０】
PM00104と併用される抗癌薬がmTOR阻害薬である、請求項1から5のいずれか一項に記載の医薬組成物。
【請求項２１】
PM00104と併用される抗癌薬が、テムシロリムス、シロリムス、エベロリムス、およびデフォロリムスから選択されるmTOR阻害薬である、請求項20に記載の医薬組成物。
【請求項２２】
治療すべき癌が、肺癌、肉腫、悪性メラノーマ、胸膜中皮腫、膀胱癌、前立腺癌、膵臓癌、胃癌、卵巣癌、肝細胞癌、乳癌、結腸直腸癌、腎臓癌、食道癌、副腎癌、耳下腺癌、頭部および頸部の癌、子宮頸部癌、中皮腫、白血病、およびリンパ腫から選択される、請求項1から21のいずれか一項に記載の医薬組成物。
【請求項２３】
一剤形のPM00104もしくは薬学的に許容できるその塩、ならびに/または抗腫瘍白金配位錯体、代謝拮抗薬、有糸分裂阻害薬、アントラサイクリン、トポイソメラーゼIおよび/もしくはII阻害薬、抗腫瘍モノクローナル抗体、mTOR阻害薬、およびチロシンキナーゼ阻害薬から選択される一剤形の別の抗癌薬、ならびに請求項1から22のいずれか一項に記載の医薬組成物において両方の薬物を併用して用いるための指示を含む、癌の治療において用いるためのキット。
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
脳におけるタウの過剰リン酸化により生じる神経原繊維変化の蓄積によって特徴付けられる神経変性障害の治療的処置のための医薬の製造における、滅菌医薬組成物の使用であって、
該神経変性障害がアルツハイマー病であり、
該医薬組成物が
（ｉ）治療量のレプチン組成物またはその薬理学的に容認される塩、及び
（ｉｉ）薬理学的に容認できるキャリア
を含み、
該治療量が、脳における過剰リン酸化タウの蓄積を減少させるのに有効である、
使用。
【請求項２】
レプチン組成物がレプチンまたはその薬理学的に容認される塩である、請求項１に記載の使用。
【請求項３】
レプチン組成物がレプチン誘導体またはその薬理学的に容認される塩である、請求項１に記載の使用。
【請求項４】
レプチン組成物がレプチン作動薬またはその薬理学的に容認される塩である、請求項１に記載の使用。
【請求項５】
治療量が、0.01mg/kg体重から100ｍg/kg体重の量である、請求項１に記載の使用。
【請求項６】
組成物が更に２番目の治療薬を含む、請求項１に記載の使用。
【請求項７】
２番目の治療薬が、抗生物質、抗菌薬、抗ウイルス薬、抗原虫動物薬、抗炎症薬、抗酸化剤、ホルモン剤、ビタミン剤、抗ヒスタミン剤及び化学療法剤からなる群より選ばれる少なくとも１つの治療薬である、請求項６に記載の使用。
【請求項８】
脳におけるタウの過剰リン酸化により生じる神経原繊維変化の蓄積によって特徴付けられる神経変性障害を患う患者において、神経保護を提供し、これにより認知機能を改善するための医薬の製造における、滅菌医薬組成物の使用であって、
該神経変性障害がアルツハイマー病であり、
該医薬組成物が
（ｉ）治療的効果量のレプチン組成物、及び
（ｉｉ）薬理学的に容認できるキャリア
を含み、
該治療的効果量が、
脳における過剰リン酸化タウの蓄積を減少させること、
該患者の、知覚、記憶、判断、若しくは理由付けのメンタルプロセスを高めること、
メンタル状態を安定化すること、又は
メンタル機能の悪化を遅らせること
に有効である、
使用。
【請求項９】
レプチン組成物が少なくともひとつのレプチン、レプチンミミック、レプチン誘導体、AMP-依存性プロテインキナーゼ活性剤、レプチン作動薬、または、その薬理学的に容認される塩である、請求項８に記載の使用。
【請求項１０】
レプチン組成物が更に２番目の治療薬を含む、請求項８に記載の使用。
【請求項１１】
２番目の治療薬が、抗生物質、抗菌薬、抗ウイルス薬、抗原虫動物薬、抗炎症薬、抗酸化剤、ホルモン剤、ビタミン剤、抗ヒスタミン剤及び化学療法剤からなる群より選ばれる少なくとも１つの治療薬である、請求項１０に記載の使用。
【請求項１２】
組成物が、AMP活性化プロテインキナーゼを活性化する、請求項１に記載の使用。
【請求項１３】
医薬組成物が、Ｓｅｒ202、Ｓｅｒ396、Ｓｅｒ404及びＴｈｒ205からなる群より選ばれる少なくとも１つのタウリン酸化部位のリン酸化を阻害する、請求項１に記載の使用。
【請求項１４】
医薬組成物が、Ｓｅｒ202、Ｓｅｒ396、Ｓｅｒ404及びＴｈｒ205からなる群より選ばれる少なくとも１つのタウリン酸化部位のリン酸化を阻害する、請求項８に記載の使用。
【請求項１５】
抗炎症薬がステロイド性抗炎症薬である、請求項７に記載の使用。
【請求項１６】
抗炎症薬が非ステロイド性抗炎症薬である、請求項７に記載の使用。
【請求項１７】
抗炎症薬がステロイド性抗炎症薬である、請求項１１に記載の使用。
【請求項１８】
抗炎症薬が非ステロイド性抗炎症薬である、請求項１１に記載の使用。